(57)【特許請求の範囲】
【請求項１】
入力ディジタル信号をテープ状記録媒体及びディスク状記録媒体に記録するとともに、該記録したディジタル信号を再生するディジタル信号記録再生装置において、
前記入力ディジタル信号に、前記テープ状記録媒体上の記録位置を特定するためのテープアドレス情報を付加して前記テープ状記録媒体に記録するテープ記録手段と、
前記入力ディジタル信号に前記テープアドレス情報に対応したディスクアドレス情報を付加して前記ディスク状記録媒体に記録するディスク記録手段と、
前記テープ状記録媒体に記録されている前記テープアドレス情報を読み出すテープアドレス情報読み出し手段を含み、前記テープ状記録媒体に記録されている信号を再生するテープ再生手段と、
前記ディスク状記録媒体に記録されている前記ディスクアドレス情報を読み出すディスクアドレス情報読み出し手段を含み、前記ディスク状記録媒体に記録されている信号を再生するディスク再生手段と、
前記ディスクアドレス情報から得られるテープアドレス情報と、前記テープ状記録媒体から読み出されるテープアドレス情報とを同期させて、前記テープ状記録媒体及びディスク状記録媒体に記録されたディジタル信号を再生するように前記テープ再生手段及びディスク再生手段を制御する同期再生制御手段とを備え、
前記同期再生制御手段による同期再生を実行する同期再生モードから、前記ディスク再生手段による再生動作を継続しつつ、該ディスク再生手段により再生される信号を前記テープ記録手段により前記テープ状記録媒体に記録するコピーモードへ連続的に移行可能としたことを特徴とするディジタル信号記録再生装置。
【請求項２】
入力ディジタル信号を記録する場合には、最初にテープ記録手段によりテープ状記録媒体に記録し、使用者からタイムシフト再生指示がなされた時点から所定時間に亘って、前記テープ記録手段及び前記ディスク記録手段による記録動作を並行して実行し、前記所定時間経過後において前記テープ記録手段による記録動作を終了するとともに、前記ディスク記録手段による記録動作を継続し、前記ディスク記録手段による記録動作実行中に前記テープ再生手段による再生動作を開始し、記録済み部分の再生動作終了時点より前記所定時間前から前記同期再生制御手段による同期再生を開始し、前記テープ再生手段による、前記再生動作終了時点で、前記コピーモードに移行することを特徴とする請求項１に記載のディジタル信号記録再生装置。
【請求項３】
前記ディスク記録手段及びディスク再生手段は、並行的に動作可能であることを特徴とする請求項１または２に記載のディジタル信号記録再生装置。
【請求項４】
前記テープ記録手段は、入力ディジタル信号をシンクブロックに格納して前記テープ状記録媒体に記録し、前記ディスク記録手段は、前記シンクブロックに対応したフォーマットの記録ファイルを生成し、該記録ファイルを前記ディスク状記録媒体に記録することを特徴とする請求項１から３のいずれかに記載のディジタル信号記録再生装置。
【請求項５】
前記テープ記録手段は、前記入力ディジタル信号を格納したシンクブロックに、必要に応じてダミーデータを格納したシンクブロックを追加して前記テープ状記録媒体に記録し、前記ディスク記録手段は、ダミーデータを格納したシンクブロックについては、該ダミーデータを除いて前記記録ファイルを構成することを特徴とする請求項４に記載ディジタル信号記録再生装置。
【発明の詳細な説明】
【０００１】
【発明の属する技術分野】
本発明は、テープ状記録媒体及びディスク状記録媒体にディジタル信号を記録し、該記録したするディジタル信号を再生するディジタル信号記録再生装置に関する。
【０００２】
【従来の技術】
例えばＤ−ＶＨＳ（登録商標）規格に準拠したＶＴＲ（ビデオテープレコーダ）のようにＭＰＥＧ（Motion Picture Expert Group）トランスポートストリームのようなディジタル信号を、テープ状記録媒体である磁気テープに記録し、再生するディジタル信号記録再生装置は従来より知られている。
【０００３】
一方、ディスク状記録媒体である磁気ディスクや光ディスクにディジタル信号を記録し、再生するディジタル信号記録再生装置も知られている。
また特公平７−３１９０５号公報には、テープ状記録媒体と、ディスク状記録媒体とを併用し、ディスク状記録媒体には、テープ状記録媒体に記録した画像情報の単位部分の初めの数分間分だけ記録しておき、テープ状記録媒体のある単位部分にアクセスするときは、ディスク状記録媒体の対応する部分を再生しながら、テープ状記録媒体の該当部分へのアクセスを行い、該当部分の再生が可能となった時点でディスク状記録媒体の再生を停止して、テープ状記録媒体の再生を開始するようにしたアクセス方法が従来より提案されている。
【０００４】
【発明が解決しようとする課題】
テープ状記録媒体は、大容量で単位情報量当たりのコストが低いという長所があるが、所望の情報の記録部分へのアクセス時間が長いという短所がある。一方ディスク状記録媒体はアクセス時間が短い点でテープ状記録媒体より、優れているが、記録容量と経済性では、テープ状記録媒体より劣る。したがって、必要に応じて両者の長所を使い分けられるようなシステムが望まれる。
【０００５】
上記特公平７−３１９０５号公報に示された方法は、ディスク状記録媒体のアクセス時間が短いことを利用して、アクセス時間の長いテープ状記録媒体の短所を補うようにしたものであるが、ディスク状記録媒体の再生からテープ状記録媒体への再生に切り換えるときは、先ずディスク状記録媒体の再生を停止し、その後にテープ状記録媒体の再生が開始されるので、切換時点で画像が一時的に途切れるという欠点があった。
【０００６】
また例えばテープ状記録媒体に長時間のプログラムを記録する場合において、そのプログラムの記録が終了する前に記録した内容を最初から再生して見たい場合、すなわちプログラムの記録中に既に記録済みの部分を再生する短時間のタイムシフト機能を実現したい場合があるが、上記公報にはそのような要求に応えるための手法は示されていない。
【０００７】
本発明は、上述した点に鑑みなされたものであり、必要に応じてテープ状記録媒体とディスク状記録媒体とを容易に使い分けることを可能とし、しかも上記した短時間のタイムシフト機能を容易に実現することができるディジタル信号記録再生装置を提供することを目的とする。
【０００８】
【課題を解決するための手段】
上記目的を達成するため請求項１に記載の発明は、入力ディジタル信号をテープ状記録媒体及びディスク状記録媒体に記録するとともに、該記録したディジタル信号を再生するディジタル信号記録再生装置において、前記入力ディジタル信号に、前記テープ状記録媒体上の記録位置を特定するためのテープアドレス情報を付加して前記テープ状記録媒体に記録するテープ記録手段と、前記入力ディジタル信号に前記テープアドレス情報に対応したディスクアドレス情報を付加して前記ディスク状記録媒体に記録するディスク記録手段と、前記テープ状記録媒体に記録されている前記テープアドレス情報を読み出すテープアドレス情報読み出し手段を含み、前記テープ状記録媒体に記録されている信号を再生するテープ再生手段と、前記ディスク状記録媒体に記録されている前記ディスクアドレス情報を読み出すディスクアドレス情報読み出し手段を含み、前記ディスク状記録媒体に記録されている信号を再生するディスク再生手段と、前記ディスクアドレス情報から得られるテープアドレス情報と、前記テープ状記録媒体から読み出されるテープアドレス情報とを同期させて、前記テープ状記録媒体及びディスク状記録媒体に記録されたディジタル信号を再生するように前記テープ再生手段及びディスク再生手段を制御する同期再生制御手段とを備え、前記同期再生制御手段による同期再生を実行する同期再生モードから、前記ディスク再生手段による再生動作を継続しつつ、該ディスク再生手段により再生される信号を前記テープ記録手段により前記テープ状記録媒体に記録するコピーモードへ連続的に移行可能としたことを特徴とする。
【０００９】
ここで、「テープアドレス情報」は、テープ状記録媒体の絶対トラック番号のように記録位置を絶対アドレスで示す情報と、１つのプログラムに対応したディジタル信号の開始時点からの経過時間（タイムコード）などのように記録位置を相対アドレスで示す情報とを含むものである。
【００１０】
請求項２に記載の発明は、請求項１に記載のディジタル信号記録再生装置において、入力ディジタル信号を記録する場合には、最初にテープ記録手段によりテープ状記録媒体に記録し、使用者からタイムシフト再生指示がなされた時点から所定時間に亘って、前記テープ記録手段及び前記ディスク記録手段による記録動作を並行して実行し、前記所定時間経過後において前記テープ記録手段による記録動作を終了するとともに、前記ディスク記録手段による記録動作を継続し、前記ディスク記録手段による記録動作実行中に前記テープ再生手段による再生動作を開始し、記録済み部分の再生動作終了時点より前記所定時間前から前記同期再生制御手段による同期再生を開始し、前記テープ再生手段による、前記再生動作終了時点で、前記コピーモードに移行することを特徴とする。
【００１１】
請求項３に記載の発明は、請求項１または２に記載のディジタル信号記録再生装置において、前記ディスク記録手段及びディスク再生手段は、並行的に動作可能であることを特徴とする。ここで、「並行的に動作可能」とは、記録動作と再生動作とを時分割でまたは並行して実行可能であることを意味する。
【００１２】
請求項４に記載の発明は、請求項１から３のいずれかに記載のディジタル信号記録再生装置において、前記テープ記録手段は、入力ディジタル信号をシンクブロックに格納して前記テープ状記録媒体に記録し、前記ディスク記録手段は、前記シンクブロックに対応したフォーマットの記録ファイルを生成し、該記録ファイルを前記ディスク状記録媒体に記録することを特徴とする。
【００１３】
請求項５に記載の発明は、請求項４に記載ディジタル信号記録再生装置において、前記テープ記録手段は、前記入力ディジタル信号を格納したシンクブロックに、必要に応じてダミーデータを格納したシンクブロックを追加して前記テープ状記録媒体に記録し、前記ディスク記録手段は、ダミーデータを格納したシンクブロックについては、該ダミーデータを除いて前記記録ファイルを構成することを特徴とする。
【００１４】
また、同期再生モードからコピーモードへの移行は、前記テープ状記録媒体上の記録トラックの連続性を保持できるように行うことが望ましい。また、前記記録単位は、誤り訂正処理を行う単位とすることが望ましい。
また前記同期再生手段は、前記テープ状記録媒体の長手方向に記録されたコントロール信号を再生するコントロール信号再生手段を有し、再生したコントロール信号を用いて同期をとることが望ましい。
【００１５】
【発明の実施の形態】
以下本発明の実施の形態を図面を参照して説明する。
（第１の実施形態）
図１は本発明の第１の実施形態にかかるディジタル信号記録再生装置の要部の構成を示すブロック図であり、この装置は、ＭＰＥＧトランスポートストリームを所定のフォーマットに変換してテープ状記録媒体としての磁気テープ１００及びディスク状記録媒体としての磁気ディスク２００に記録し、該記録した信号を再生してもとのＭＰＥＧトランスポートストリームとして出力するものである。
【００１６】
図１の装置は、トランスポートストリームに含まれるＳＣＲ（System Clock Reference、システム時刻基準）信号を抽出するＴＳデコード部１１と、２７ＭＨｚの基準クロック信号ＲＥＦ２７Ｍを出力する基準発振器２１と、前記ＳＣＲ信号及び基準クロック信号ＲＥＦ２７Ｍに基づいて、記録するパケットの到着時間間隔を再現するための記録タイムスタンプを生成するとともに、後述する１記録単位の記録周期に対応した記録用の１０Ｈｚ基準信号ＲＥＦ１０ＲＥＣを生成する記録タイムスタンプ生成部１２と、入力信号にタイムスタンプを付加して出力するタイムスタンプ付加部１３と、スイッチ１４と、記録信号の生成及び変調を行うとともに、再生信号の復調、画像及び音声などのデータやＩＤ情報などの制御情報を抽出するテープ信号処理部１５と、磁気ヘッド、記録アンプ、再生アンプ等で構成され、磁気テープ１００への信号の記録及び磁気テープ１００からの信号の再生を行うテープ記録再生部１６と、入力されるトランスポートストリームのパケット数をカウントするパケットカウンタ１７と、ディスク２００に記録する信号を一時的に格納するメモリ１８と、記録するファイルの構成及び再生されたファイルを元のデータに戻す等の処理を行うディスク信号処理部１９と、磁気ヘッド、記録アンプ、再生アンプ等で構成され、磁気ディスク２００への信号の記録及び磁気ディスク２００からの信号の再生を行うディスク記録再生部２０と、後述するコピーモードにおいてディスク２００から再生された信号を一時的に格納するメモリ２２と、メモリ２２から信号を読み出し、トランスポートストリームを構成するＴＳエンコード部２３と、磁気ディスク２００から再生された信号を一時的に格納するメモリ２４と、スイッチ２５と、基準クロック信号ＲＥＦ２７Ｍに基づいて再生タイムスタンプを生成するとともに、再生用の１０Ｈｚ基準信号ＲＥＦ１０ＰＢを生成して出力する再生タイムスタンプ生成部２６と、磁気テープ１００または磁気ディスク２００から再生された信号を元のＭＰＥＧトランスポートストリームに戻して出力するＴＳエンコード部２７とを備えている。
【００１７】
スイッチ１４は、入力されるトランスポートストリームを磁気テープ１００に記録するときは、端子ａに接続され、磁気ディスク２００から再生されるトランスポートストリームを磁気テープ１００に記録するコピーモードにおいては、端子ｂに接続される。またスイッチ２５は、記録信号を出力するときは、端子ａに接続され、磁気ディスク２００から再生した信号を出力するときは、端子ｂに接続され、磁気テープ１００から再生した信号を出力するときは、端子ｃに接続される。
【００１８】
テープ信号処理回路１５は、磁気テープ上の６トラック分の信号を記憶する６トラックメモリ、記録信号の誤り訂正符号化を行う誤り訂正符号化回路、入力信号にシンクパターンや制御情報としてのＩＤ情報を付加してシンクブロックを構成するとともに、磁気テープ上に所定のトラックが形成されるように記録信号を構成し、さらに記録信号の変調などを行うトラックフォーマットエンコード回路、磁気テープ１００から再生された信号の復調、データの抽出などを行うトラックフォーマットデコード回路、再生信号の誤り訂正復号化を行う誤り訂正復号化回路等からなる。
【００１９】
テープ信号処理部１５の６トラックメモリに格納される６トラック分データは、誤り訂正符号化及び復号化の単位、すなわち誤り訂正の単位となるデータであり、本明細書ではこれを記録単位と呼ぶ。本実施形態では、１記録単位が記録時間０．１秒に対応するので、１０Ｈｚの基準信号ＲＥＦ１０ＲＥＣ及びＲＥＦ１０ＰＢが、各部に供給される。
【００２０】
ディスク信号処理部１９は、メモリ１８からデータを読み出してディスク２００に記録する単位としてのファイルを構成するファイルフォーマット回路、再生されたファイルを元のデータに戻すファイルデコード回路等からなる。メモリ１８は、テープ信号処理部１５の６トラックメモリと同じデータを記憶する。ただし、６トラックメモリには、入力ディジタル信号のデータ量が少ないときにはダミーデータが記憶されが、メモリ１８にはダミーデータは記憶されない。
【００２１】
図２は、磁気テープ１００上の記録パターンを示す図であり、矢線（矢印を付した線）ＴＲは、磁気テープ１００の走行方向を示し、矢線ＨＴは磁気ヘッドの走査方向を示す。また太線で囲んだ６トラックが上記記録単位であり、磁気テープ１００の下部には、再生時のトラッキングの基準とするコントロール（ＣＴＬ）信号が磁気テープの走行方向（長手方向）に平行に記録されている。
【００２２】
図１に戻り、テープ信号処理部１５は、下記式（１）で定義される絶対トラック番号ＡＴＮを図３に示すＩＤ情報に書き込む処理を行う。
ＡＴＮ＝ｉｎｔ（ｎ×ＴＰ／１４．５）    （１）
ここで、ＴＰは磁気テープ上のトラックピッチ（μｍ），ｎは０以上の整数，ｉｎｔは、（）内の値の整数部を抽出する演算子である。例えばＴＰ＝２９μｍであれば、絶対トラック番号ＡＴＮは、１トラック毎に２カウントずつ増加するように定義される。ＡＴＮ＝０の位置は、磁気テープの開始端から３０秒以内の位置とされる。
【００２３】
図３においてＩＤ０，ＩＤ１は、ＩＤ情報（３バイト）の第１バイトと第２バイトであり、シンクブロック番号（ＳＢ＃）は、トラックの開始端に位置するシンクブロックのシンクブロック番号を「０」として、トラックの終了端に向かって「１」ずつ増加するように各シンクブロックに付される番号である。絶対トラック番号ＡＴＮは、シンクブロック番号が、「４」の整数倍＋１（４ｎ＋１）、「４」の整数倍＋２（４ｎ＋２）、及び「４」の整数倍＋３（４ｎ＋３）のシンクブロックの第１バイトＩＤ０に書き込まれる。ＳＢ＃＝４ｎ＋１のシンクブロックの第１バイトＩＤ０に書き込まれるＳＦ情報は、絶対トラック番号ＡＴＮをサポートするか否かを示す情報であり、ＳＦ情報が１１Ｂ（Ｂは２進数であることを示すために付している）であるとき、絶対トラック番号ＡＴＮをサポートすることを示す。またシンクブロック番号は、第２バイトＩＤ１のビットｂ３〜ｂ０に書き込まれる。
【００２４】
テープ信号処理部１５のトラックフォーマットエンコード回路で構成されるシンクブロックは、図５に示すように連続する２つのシンクブロックにＭＰＥＧ２トランスポートパケットの１８８バイト（９２バイト＋９６バイト）のデータが格納されるように定義されており、タイムスタンプはパケットヘッダに格納されて記録される。
【００２５】
以上のように、入力ディジタル信号は、６トラック分のデータを記録単位として誤り訂正符号化され、シンクブロックに格納されるとともに、シンクブロック内のＩＤ情報に絶対トラック番号ＡＴＮが書き込まれて、磁気テープ１００に記録される。
【００２６】
図１に戻り、ディスク信号処理部１９のファイルフォーマット回路は、メモリ１８に格納されたデータを読み出し、ディスク２００に記録するためのファイル（以下「ディスク記録ファイル」という）に変換する処理を行う。図４（ａ）は、ファイルフォーマット回路で生成されるディスク記録ファイルの第１のフォーマットを示す図であり、このファイルは、ファイル情報（Ｎバイト（例えば３バイト））と、絶対トラック番号ＡＴＮｄ（４バイト）と、パケットカウンタ１７から入力される、メモリ１８に格納されているパケット数ＲＥＣＴＳ（２バイト）と、図５に示す４バイトのパケットヘッダと同一のパケットヘッダＰＨ（４バイト）と、パケットヘッダＰＨで示されるタイムスタンプに対応する１パケットに格納された有効データＴＳＤＡＴＡ（１８８バイト）とによって構成される。
【００２７】
ここで、ディスク記録ファイルに書き込まれる絶対トラック番号ＡＴＮｄ（以下「ディスク絶対トラック番号ＡＴＮｄ」という）は、６トラックメモリ内のデータが最初に記録されるトラックの絶対トラック番号ＡＴＮであり、ディスク絶対トラック番号ＡＴＮｄから次の絶対トラック番号ＡＴＮｄの直前の有効データＴＳＤＡＴＡまでが、磁気テープ上の記録単位、すなわち６トラック分のデータに対応する。なお、絶対トラック番号ＡＴＮはテープ信号処理部１５からディスク信号処理部１９に供給される。また有効データＴＳＤＡＴＡは、シンクブロックに含まれるシンクパターンやＩＤ情報などを除いた正味のデータに対応する。
【００２８】
ディスク絶対トラック番号ＡＴＮｄは、磁気テープに記録された絶対トラック番号ＡＴＮと同一の番号としてよいが、６で割り切れる絶対トラック番号ＡＴＮのトラックに６トラックメモリの最初のデータを記録するように制御すれば、６で割った値をディスク絶対トラック番号ＡＴＮｄとしてもよい。ディスク絶対トラック番号ＡＴＮｄが、特許請求の範囲に記載したアドレス情報に対応する。記録時にディスク絶対トラック番号ＡＴＮｄを絶対トラック番号ＡＴＮと同一としない場合は、再生時に同期をとるときに、ディスク絶対トラック番号ＡＴＮｄに対して記録時の処理と逆の処理（例えば上記したように絶対トラック番号ＡＴＮを６で割る処理を行った場合は、６を乗算する処理）を行う。
【００２９】
ディスク信号処理部１９のファイルフォーマット回路は、ファイルのサイズが一定のバイト数に達するまで、またはファイルに格納したトラック数が所定のトラック数（記録単位（６トラック）の整数倍のトラック数、例えば１２トラックとする）に達するまでを１ファイルとして、順次ディスク記録ファイルを構成して出力する。
【００３０】
ディスク信号処理部１９から出力されるディスク記録ファイルは、ディスク記録再生部２０に供給され、ディスク記録再生部２０は、ディスク記録ファイルを磁気ディスク２００に記録する。
なお、本実施形態では、磁気ディスク２００への信号の記録と、磁気ディスク２００からの信号の再生を並行して行うことができるように構成されている。すなわち入力ディジタル信号が入力される実時間より短い時間（例えば１／２の時間）で記録動作を行い、磁気ディスク２００への記録動作を行わない時間内に磁気ディスク２００からの再生動作を行う時分割動作を実行できるように構成されている。
【００３１】
以上のように本実施形態では、磁気テープ１００に記録するシンクブロックに、そのシンクブロックが記録される絶対トラック番号ＡＴＮを書き込んで記録するとともに、磁気ディスク２００に記録するデータにも磁気テープ上の絶対トラック番号ＡＴＮに対応するディスク絶対トラック番号ＡＴＮｄを付して記録し、しかも磁気テープ１００の記録単位と、磁気ディスク２００の記録単位とが同一となるようにしたので、入力ディジタル信号を、磁気テープ１００及び磁気ディスク２００に、記録データの対応付けをして容易に記録することができる。したがって、必要に応じて磁気テープ１００と、磁気ディスク２００とを容易に使い分けることができるとともに、再生時には、磁気テープ１００からの再生データと、磁気ディスク２００からの再生データとを容易に同期させることが可能となる。
【００３２】
なお、磁気テープ１００への記録動作を行わずに磁気ディスク２００への記録動作のみ実行するときは、絶対トラック番号ＡＴＮは生成されないので、磁気ディスク２００に記録するファイルは、図４（ｂ）に示すように絶対トラック番号ＡＴＮを含まない第２のフォーマットとする。
【００３３】
次に再生時の動作を説明する。磁気テープ１００からの再生を行う場合は、スイッチ２５は端子ｃに接続される。テープ信号処理部１５においては、再生信号の復調、データの抽出、誤り訂正復号化などの処理が行われ、処理後の信号が６トラックメモリに格納される。再生タイムスタンプ生成部２６は、基準クロック信号ＲＥＦ２７Ｍに基づいて基準タイムスタンプを生成し、ＴＳエンコード部２７に供給する。ＴＳエンコード部２７では、再生されたタイムスタンプと、基準タイムスタンプとが比較され、両者が一致するタイミングでテープ信号処理部１６の６トラックメモリからトランスポートパケットが読み出されて出力される。これにより、再生時の６トラックメモリからの読み出しタイミングが記録時のタイムスタンプ生成タイミングと同期し、トランスポートパケットの出力時間間隔は、記録時の到着時間間隔と等しいものとなる。
【００３４】
また磁気ディスク２００からの再生を行う場合は、スイッチ２５は端子ｂに接続される。ディスク信号処理部１９においては、記録時に生成したファイルを元のトランスポートストリームに戻す処理が行われ、処理後の信号がメモリ２４に格納される。メモリ２４からの読み出しタイミングは、磁気テープ１００の再生時と同様に再生タイムスタンプが基準タイムスタンプと一致するように制御される。また磁気ディスク２００から再生した信号を磁気テープ１００に記録するコピーモードにおいては、ディスク信号処理部１９の出力信号はメモリ２２に格納される。ＴＳエンコード部２３では、再生されたタイムスタンプと、基準タイムスタンプとが比較され、両者が一致するタイミングでメモリ２２からトランスポートパケットが読み出されてスイッチ１４に出力される。
【００３５】
次に図７を参照して磁気テープ１００及び磁気ディスク２００の同期再生について説明する。図７には、図１に示した構成要素の一部が示されており、さらにＡＴＮ比較制御部５１と、サーボ部５２と、テープドラム駆動系５３とが追加して示されている。なお、サーボ部５２及びテープドラム駆動系５３は、再生データの同期をとるか否かに拘わらず設けられているものであるが、図１では図示が省略されている。また、図７においては、テープ信号処理部１５から出力される磁気テープ１００から再生された絶対トラック番号ＡＴＮは、磁気テープからの再生絶対トラック番号ＡＴＮであることを示すために、「ＡＴＮｔ」と示している。ＡＴＮ比較制御部５１は、差分値δ＝ＡＴＮｄ−ＡＴＮｔを算出し、ディスク信号処理部１９及びサーボ部５２に差分値δを供給するとともに、δ＝０の状態でスイッチ２５の制御信号ＳＷを変化させて、スイッチ２５の切換制御を行うように構成されている。
【００３６】
先ず磁気テープ１００からのデータ再生中に（スイッチ２５が端子ｃに接続されている状態で）、磁気ディスク２００から再生したデータに切り換える場合について説明する。テープ信号処理部１５及びディスク信号処理部１９は、それぞれ絶対トラック番号ＡＴＮｔ及びディスク絶対トラック番号ＡＴＮｄをＡＴＮ比較制御部５１に入力する。なお、絶対トラック番号ＡＴＮｔは、誤り訂正復号化処理などに要する時間に対応したオフセット値が加算されており、ＡＴＮｔ＝ＡＴＮｄであるとき、スイッチ２５の端子ｂ，ｃに同一のデータが入力可能となるように構成されている。例えば、テープ信号処理部１５が磁気テープ１００からの再生データを出力するまでに１０トラック分の処理時間を要する場合には、再生された絶対トラック番号ＡＴＮから１０を減算したものが絶対トラック番号ＡＴＮｔとされる。
【００３７】
１）差分値δ＝０であれば、スイッチ２５の端子ｂ，ｃに入力されているデータは同一であるので、ＡＴＮ比較制御部５１は、基準信号ＲＥＦ１０ＰＢに同期してスイッチ２５を切り換える制御信号ＳＷを出力する。
２）δ＞０であれば、出力したデータのファイルと同一ファイル内の、先に記録されたデータ、または先に記録されたファイル内に格納されたデータに、絶対トラック番号ＡＴＮｔに対応するディスク絶対トラック番号ＡＴＮｄのデータが存在するので、ディスク信号処理部１９は、δに応じて適切なディスク絶対トラック番号ＡＴＮｄのデータを検索し、そのデータから改めて出力を開始する。
３）δ＜０であるときは、出力したデータのファイルと同一ファイル内の、後に記録されたデータ、または後に記録されたファイル内に格納されたデータに、絶対トラック番号ＡＴＮｔに対応するディスク絶対トラック番号ＡＴＮｄのデータが存在するので、ファイルデコード部４１は、δに応じて適切なディスク絶対トラック番号ＡＴＮｄのデータを検索し、そのデータから改めて出力を開始する。
【００３８】
上記２）、３）の場合は、１回の修正でδ＝０とならなければ、同様の処理を繰り返し、δ＝０となった状態で基準信号ＲＥＦ１０ＰＢに同期してスイッチ２５の切換を行う。これにより、磁気テープ１００からの再生データから磁気ディスク２００の再生データへ、データの抜けや重複なしに切り換えることができる。スイッチ２５を切り換えた後は、磁気テープ１００の再生は停止してもよい。
【００３９】
次に磁気ディスク２００からのデータ再生中に（スイッチ２５端子ｂに接続されている状態で）、磁気テープ１００から再生したデータに切り換える場合について説明する。
１）δ＝０であるときは、上記１）と同様である。
【００４０】
２）δ＞０であるとき、すなわち磁気テープ１００が本来再生すべき位置に到達していない場合は、サーボ部５２が差分値δに応じて磁気テープ１００を通常より速いテープ送り速度で早送りし、δ＝０となるように再生位置を移動させる。より具体的には、例えばトラックピッチＴＰ＝２９（μｍ）とすると、１トラック毎に絶対トラック番号ＡＴＮｔは、「２」ずつ変化する（前記式（１）参照）一方、磁気テープ１００の下部に記録されるＣＴＬ信号は、図２に示したように２トラック当たり１パルスの割合で記録されるので、δ＝４がＣＴＬ信号１パルス分のずれに相当する。よって、ＣＴＬ信号のδ／４パルス分だけ磁気テープ１００を早送りすれば、ＡＴＮｔ＝ＡＴＮｄとなることが見込まれる。ただし、早送り実行中にも、磁気ディスク２００からの再生は進むので、ディスク絶対トラック番号ＡＴＮｄは常に更新されるが、上記動作を繰り返すことにより、同期位置まで磁気テープ１００の再生位置を移動させることができ、最終的にδ＝０とすることができる。その状態で、基準信号ＲＥＦ１０ＰＢに同期してスイッチ２５を端子ｂ側から端子ｃ側に切り換えればよい。
【００４１】
３）δ＜０のとき、すなわちち磁気テープ１００が本来再生すべき位置を通り過ぎている場合は、サーボ部５２が差分値δに応じて磁気テープ１００を通常より速いテープ送り速度で巻き戻し、δ＝０となるように再生位置を移動させる。具体的な手法は、上記２）と同様である。
【００４２】
以上の処理により、磁気ディスク２００からの再生データから磁気テープ１００の再生データへ、データの抜けや重複なしに切り換えることができる。スイッチ２５を切り換えた後は、磁気ディスク２００の再生は停止してもよい。
以上のように本実施形態によれば、磁気テープ１００からの再生データと、磁気ディスク２００からの再生データと同期させた後に切換を行うようにしたので、切換時点でのデータの抜けや重複がなく、滑らかな切り換えた可能となる。
【００４３】
次に図６を参照して、磁気テープ１００への記録動作中に、記録した信号を最初から再生しつつ、入力ディジタル信号の記録動作を継続し、最終的には入力ディジタル信号をすべて磁気テープ１００に記録するタイムシフト動作について説明する。同図（ａ）は、入力されるディジタル信号、すなわちＭＰＥＧトランスポートストリームを示し、同図（ｂ）（ｃ）は、それぞれ磁気テープ１００の記録再生動作及び磁気ディスク２００の記録再生動作を示す。
【００４４】
先ず時刻ｔ０から入力ディジタル信号Ｐ１を磁気テープ１００に記録する動作を開始する。このときスイッチ１４は端子ａに接続され、スイッチ２５は端子ａに接続されている。そして、入力ディジタル信号Ｐ１の記録中の時刻ｔ１において、使用者が巻き戻し・同時再生（タイムシフト再生）を指示したとすると、その時点から所定時間ＴＯＬの間は、入力ディジタル信号Ｐ１を磁気テープ１００に記録する動作を継続するとともに、時刻ｔ１から入力ディジタル信号Ｐ１を磁気ディスク２００にも記録する動作を開始する。したがって、時刻ｔ１〜ｔ２間はディジタル信号Ｐ１が磁気テープ１００と磁気ディスク２００とに重複して記録される。
【００４５】
所定時間ＴＯＬ経過後の時刻ｔ２において磁気テープ１００への記録を終了するとともに、入力ディジタル信号Ｐ２を磁気ディスク２００に記録する動作を継続する。すなわち、磁気ディスク２００へ信号を記録する記録モードはそのまま維持され、ディジタル信号Ｐ１の最後の所定時間ＴＯＬの部分に続けてディジタル信号Ｐ２が記録される。このとき、磁気テープ１００に記録した最終記録単位の絶対トラック番号ＡＴＮを、最終記録絶対トラック番号ＡＴＮ（ＡＴＮｅ）として保持する。なお、入力ディジタル信号に付した符号Ｐ１，Ｐ２は、単に磁気テープ１００に記録済みの部分と、まだ記録していない部分とを区別するために付したものであり、実際には一つの番組（プログラム）であってもよいし、時刻ｔ２の近傍で番組が変化するような場合であってもよい。
【００４６】
磁気ディスク２００のみに記録する場合は、絶対トラック番号ＡＴＮが生成されないので、前述したように図４（ｂ）に示す第２のファイルフォーマットで記録が行われる。
時刻ｔ２から使用者の操作に応じて磁気テープ１００をディジタル信号Ｐ１の記録開始位置まで巻き戻す動作が行われ、磁気テープ１００に記録されたディジタル信号Ｐ１の再生動作を時刻ｔ３から開始する。巻き戻し動作中に１０Ｈｚ基準信号は、ＲＥＦ１０ＲＥＣからＲＥＦ１０ＰＢに切り換えられ、時刻ｔ３においてスイッチ２５は端子ａから端子ｃに切り換えられる。そして、ディジタル信号Ｐ１の再生終了予定時刻ｔ５の所定時間ＴＬＯ前の時刻ｔ４から磁気ディスク２００と、磁気テープ１００の同期再生を開始する（同期再生モードに移行する）。このとき、磁気ディスク２００にディジタル信号Ｐ２を記録する動作は継続する。すなわち磁気ディスク２００への記録及び再生は並列的に時分割動作で実行される。所定時間ＴＬＯは、時刻ｔ１からｔ２まで重複記録を実行した時間であり、この所定時間ＴＬＯ、並びに出力中の信号の絶対トラック番号ＡＴＮ及び最終記録絶対トラック番号ＡＴＮ（ＡＴＮｅ）に基づいて、同期再生を開始する時刻ｔ４を決定することができる。同期再生実行中にスイッチ１４が端子ａから端子ｂに切り換えられ、スイッチ２５が端子ｃから端子ｂに切換られる。
【００４７】
そして時刻ｔ５において同期再生モードから、磁気ディスク２００から再生されるディジタル信号Ｐ２を磁気テープ１００に記録するコピーモードに移行する。磁気ディスク２００から再生されディスク信号処理部１９から出力される信号は、メモリ２２，ＴＳエンコード部２３，スイッチ１４を介してテープ信号処理部１５に入力され、磁気テープ１００に記録される。このとき１０Ｈｚ基準信号は、ＲＥＦ１０ＰＢが継続して使用される。磁気ディスク２００から再生される信号には、タイムスタンプが付加されているので、基準信号をＲＥＦ１０ＰＢとしても入力トランスポートストリームの到着時間間隔を再現する上で特に問題は生じない。また磁気テープ１００に記録する最初の絶対トラック番号ＡＴＮは、前述した最終記録絶対トラック番号ＡＴＮ（ＡＴＮｅ）に基づいて絶対トラック番号ＡＴＮの連続性を維持するように決定する。例えばトラックピッチが２９μｍのときは、６トラックで絶対トラック番号は１２増加するので、コピーモードの最初の絶対トラック番号ＡＴＮは、ＡＴＮ（ＡＴＮｅ）＋１２とする。このように絶対トラック番号ＡＴＮを設定することにより、絶対トラック番号ＡＴＮの連続性を維持することができる。
【００４８】
その後時刻ｔ６になるとディジタル信号Ｐ２を磁気ディスク２００に記録する動作を終了し、時刻ｔ７においてコピーモードの動作、すなわち磁気ディスク２００からディジタル信号Ｐ２を再生して磁気テープ１００に記録する動作を終了する。
【００４９】
以上のように本実施形態によれば、入力ディジタル信号の記録途中から記録済みディジタル信号の再生を開始するとともに、入力ディジタル信号の連続性を保持しながら記録を継続し、最終的に磁気テープ１００にすべての入力ディジタル信号を記録する短時間タイムシフト動作を実現することが可能となる。しかも、入力ディジタル信号の終了時点ですべての信号が磁気テープ１００に連続性を維持して記録されているので、入力ディジタル信号を最初から最後まで通して磁気テープ１００に記録した場合と同じ記録済みテープを得ることができる。またタイムシフト再生において、媒体を切り換えるときは、同期再生により信号の連続性が保持されるので、切換時点での信号の抜けや重複が無く、滑らかな切換を行うことができる。
【００５０】
なお記録したい番組をすべて記録した後に再生する通常の記録再生も、広義のタイムシフトを実現するものであるが、本実施形態の場合は記録の途中から再生を開始できる点でそのような単純な記録再生動作とは異なるので、「短時間タイムシフト」動作と呼んでいる。
【００５１】
また、テープ信号処理部１５における信号処理やテープ記録再生部１６における増幅処理には、装置固有の処理時間ＴＰＲを必要とするので、コピーモードにおいてはメモリ２２によりその処理時間ＴＰＲに応じた信号のタイミング調整処理が行われ、磁気テープ１００上の記録信号の連続性が維持される。
【００５２】
また、図８に示すように入力ディジタル信号の磁気テープ１００への記録を開始してから（時刻ｔ０）、タイムシフト再生の指示（時刻ｔ１）がなされるまでの時間が長い場合には、磁気ディスク２００へのディジタル信号Ｐ２の記録が終了した時点（時刻ｔ６）より後の時刻ｔ４に同期再生を開始すればよいので、記録動作と再生動作とを時分割で実行する必要はない。
【００５３】
（第２の実施形態）
本実施形態は、磁気ディスク２００に記録するファイルのフォーマットを、磁気テープ１００に記録するシンクブロックに対応したフォーマットとしたものであり、それに関連する構成以外の基本的な構成及び動作は、第１の実施形態と同様である。
【００５４】
図９は本発明の第２の実施形態にかかるディジタル信号記録再生装置の要部の構成を示すブロック図であり、この装置は、図１に示す第１の実施形態にかかる装置のスイッチ１４、パケットカウンタ１７、メモリ１８を削除して、ＳＹＮＣデータ修正部３１を追加し、ＴＳエンコード部２３を、ＳＹＮＣデータデコード部３２に変更するとともに、テープ信号処理部１５及びディスク信号処理部１９をそれぞれテープ信号処理部１５ａ及びディスク信号処理部１９ａに変更したものである。タイムスタンプ付加部１３の出力は直接テープ信号処理部１５ａに接続されており、またＳＹＮＣデータ修正部３１には、テープ信号処理部１５ａから必要な信号が供給されるように構成されている。
【００５５】
図１０は、本実施形態の特徴をより詳細に説明するためのブロック図であり、テープ信号処理部１５ａは、入力ディジタル信号を格納したシンクブロックを構成するＳＹＮＣフォーマット回路４１と、シンクブロック内のメインヘッダＭＨをデコードするメインヘッダデコード回路４３と、スイッチ４４と、磁気テープ上に所定のトラックが形成されるように制御するトラックフォーマット回路４５とを備えている。
【００５６】
ＳＹＮＣフォーマット回路４１は、タイムスタンプ付加部１３から入力されるトランスポートパケットに、シンクパターンやＩＤ情報、メインヘッダＭＨ等を付加して図５に示すようなシンクブロックを生成して出力する。メインヘッダＭＨは、図１１に示すようにフォーマット情報（第１バイトのビットＢ７〜Ｂ４）とシンクブロック情報（第１バイトのビットＢ３〜第２バイトのビットＢ０）とからなり、シンクブロック番号（ＳＢ番号）に対応して定義が異なっている。すなわち、図１１のおいて「ｎ」は、０から２７の整数であって、１２通りの定義が存在する。この図において、ＤＴは、データタイプであり、通常再生用データ、ダミーデータ、特殊再生用データのいずれであるかを示す情報である。またＳＢＣは、シンクブロックカウントであり、ＭＰＥＧ２トランスポートバケットなどの元のディジタルデータと、シンクブロックブロック内のデータとの関係を示す情報である。またＴＣＲは、時間圧縮率を示すＴＣＲ情報、Ｆｏｒｍａｔ  ＩＤは、トラックのフォーマットがノーマルモード記録によるものか、別の記録モードによるものかを示す情報、ＡＤは、記録ディジタル信号がパケットサイズ１８８バイトのＭＰＥＧトランスポートストリームパケットであるか、パケットサイズ１４０バイトの別の伝送方式のパケットであるかを識別するための情報である。なお、ダミーデータは、入力ディジタル信号の単位時間当たりのデータ量が少ないときに適宜挿入されるデータである。
【００５７】
メインヘッダデコード回路４３は、シンクブロック内のメインヘッダＭＨを参照して、そのシンクブロックがダミーデータを格納しているか否かを示す情報をＳＹＮＣデータ修正部３１に供給する。ＳＹＮＣデータ修正部３１は、図１２（ａ）に示すようなファイルフォーマットとなるように、予めシンクブロックデータの修正処理を行う。その際ダミーデータを格納しているシンクブロックについては、メインヘッダＭＨ及びパックデータを格納したデータＡＵＸ（１バイト）のみが記録されるように修正を行う。ダミーデータのシンクブロック以外はメインヘッダＭＨの第１バイトと、第２バイト以下の、内訂正符号（インナパリティ）を除くすべてのデータとを出力する。ＳＹＮＣデータ修正部３１から出力される信号は、ディスク信号処理部１９ａのメモリ１９ｂに格納され、順次磁気ディスク２００に記録される。
【００５８】
図１２（ａ）に示すファイルフォーマットは、図４（ａ）に示す第１のファイルフォーマットに対応するものであり、本実施形態におけるディスク記録ファイルのフォーマットを示す。本実施形態におけるディスク記録ファイルは、ファイル情報（Ｎバイト（例えば３バイト））と、テープ信号処理部１５ａから供給される絶対トラック番号ＡＴＮｄ（４バイト）と、１トラックに記録されるシンクブロック番号０から３５５までのシンクブロックのメインヘッダＭＨの第１バイト及びメインヘッダＭＨの第２バイト以下のデータＤＡＴＡ（インナパリティを除く、メインヘッダＭＨの第２バイト＋データＡＵＸ＋パケットヘッダ＋データ＝９８バイト）によって構成される。ただし、上記したようにダミーデータのシンクブロックについては、メインヘッダＭＨの第１バイトに続けて、メインヘッダＭＨの第２バイト、及びパックデータを格納したデータＡＵＸ（１バイト）のみがディスク記録ファイルに格納されて記録される。
【００５９】
なお、磁気ディスク２００のみに記録する動作を行うときは、図４（ｂ）に示す場合と同様に、図１２（ｂ）に示すように絶対トラック番号ＡＴＮｄを含まないファイルフォーマットが採用される。
以上の構成により、通常の記録動作時は、スイッチ４４は端子ａに接続され、ＳＹＮＣフォーマット回路４１から出力されるシンクブロックが、トラックフォーマット回路４５，テープ記録再生部１６を介して磁気テープ１００に記録される。そして、磁気テープ１００と、磁気ディスク２００とに重複して記録する期間（図６，ｔ１〜ｔ２）においては、図１２（ａ）に示すファイルフォーマットで、磁気ディスク２００への記録が行われ、磁気ディスク２００のみに記録する期間（図６，ｔ２〜ｔ５）では図１２（ｂ）に示すファイルフォーマットで磁気ディスク２００への記録が行われる。
【００６０】
またコピーモードにおいては、スイッチ４４は端子ｂに接続され、磁気ディスク２００から再生されたシンクブロックは、ＳＹＮＣデータデコード部３２に供給される。ＳＹＮＣデータデコード部３２は、シンクブロックのメインヘッダＭＨの第１バイトに格納されているデータタイプＤＴを参照し、そのシンクブロックがダミーデータのシンクブロックでないときは、続く９８バイトのデータを、またダミーデータのシンクブロックであるときは、続く２バイトのデータ（メインヘッダの第２バイト＋データＡＵＸ）及び９６バイト分の値０のデータをスイッチ４４を介してトラックフォーマット回路４５に供給する。
【００６１】
以上のように本実施形態では、磁気ディスク２００に記録するファイルフォーマットとして、図１２に示すような磁気テープに記録するシンクブロックに対応したフォーマットを採用したので、第１の実施形態のようにコピーモードにおいてＴＳエンコード処理（パケットの時間間隔再現処理）を行う必要が無くなり、構成をより簡略化することができる。
【００６２】
（その他の実施形態）
なお本発明は上述した実施形態に限るものではなく、種々の変形が可能である。例えば、上述した実施形態では、磁気テープ上の記録位置を特定するためのテープアドレス情報として、絶対トラック番号ＡＴＮを用いたが、これに限るものではなく、例えば１つのプログラムに対応したディジタル信号の記録開始位置に対応するトラックを基準とした相対トラック番号や、１つのプログラムに対応したディジタル信号の開始時点からの経過時間（タイムコード）のような相対アドレスを示す情報を用いてもよい。
【００６３】
またディスク状記録媒体として磁気ディスクを使用したが、光ディスクや光磁気ディスクなどを使用してもよい。
また、上述した実施形態では、磁気ディスク２００の記録と再生を時分割で行うことにより、両者を並行して実行するようにしたが、記録用磁気ヘッドと再生用磁気ヘッドとを設けて、記録と再生を同時に実行するようにしてもよい。
【００６４】
【発明の効果】
以上詳述したように本発明によれば、入力ディジタル信号に記録位置を示すテープアドレス情報が付加されてテープ状記録媒体への記録が行われるとともに、入力ディジタル信号に前記テープアドレス情報に対応したディスクアドレス情報が付加されてディスク状記録媒体への記録が行われる一方、再生時においては、ディスク状記録媒体に記録されているディスクアドレス情報から得られるテープドレス情報と、テープ状記録媒体から読み出されるテープアドレス情報とを同期させて、テープ状記録媒体及びディスク状記録媒体に記録されたディジタル信号を再生可能であり、しかも同期再生を実行する同期再生モードから、ディスク状記録媒体の再生動作を継続しつつ、該ディスク状記録媒体から再生される信号をテープ状記録媒体に記録するコピーモードへ連続的に移行させることができるので、テープ状記録媒体及びディスク状記録媒体に同一内容を記録する動作と、同期再生動作とを適切に実行することにより、短時間のタイムシフト動作を容易に実現することができる。また同期再生により、テープ状記録媒体の再生から、同一内容のディスク状記録媒体の再生へ円滑に切り換えることができ、さらにディスク状記録媒体の再生信号の連続性を維持してテープ状記録媒体に記録することにより、最終的に入力ディジタル信号の全体を連続性を保持してテープ状記録媒体に記録することができる。
【図面の簡単な説明】
【図１】本発明の第１の実施形態にかかるディジタル信号記録再生装置の要部の構成を示すブロック図である。
【図２】磁気テープ状の記録パターンを説明するための図である。
【図３】磁気テープに記録される制御情報の構成を示す図である。
【図４】磁気ディスクに記録するファイルのフォーマットを示す図である。
【図５】磁気テープに記録されるデータの構成を説明するための図である。
【図６】タイムシフト機能を説明するためのタイムチャートである。
【図７】同期再生を説明するための構成を示すブロック図である。
【図８】タイムシフト機能を説明するためのタイムチャートである。
【図９】本発明の第２の実施形態にかかるディジタル信号記録再生装置の要部の構成を示すブロック図である。
【図１０】図９の構成を詳細に説明するためのブロック図である。
【図１１】メインヘッダの構成を説明するための図である。
【図１２】磁気ディスクに記録するファイルのフォーマットを示す図である。
【符号の説明】
１１  ＴＳデコード部（テープ記録手段、ディスク記録手段）
１２  記録タイムスタンプ生成部（テープ記録手段、ディスク記録手段）
１３  タイムスタンプ付加部（テープ記録手段、ディスク記録手段）
１５，１５ａ  テープ信号処理部（テープ記録手段、テープ再生手段、テープアドレス情報読み出し手段）
１６  テープ記録再生部（テープ記録手段、テープ再生手段）
１７  パケットカウンタ（ディスク記録手段）
１８  メモリ（ディスク記録手段）
１９，１９ａ  ディスク信号処理部（ディスク記録手段、ディスク再生手段、ディスクアドレス情報読み出し手段）
２０  ディスク記録再生部（ディスク記録手段、ディスク再生手段）
２２、２４  メモリ（ディスク再生手段）
２３  ＴＳエンコード部（ディスク再生手段）
２６  再生タイムスタンプ生成部（テープ再生手段、ディスク再生手段）
２７  ＴＳエンコード部（テープ再生手段、ディスク再生手段）
３１  ＳＹＮＣデータ修正部（ディスク記録手段）
３２  ＳＹＮＣデータデコード部（テープ記録手段）
５１  ＡＴＮ比較制御部（同期再生制御手段）
５２  サーボ部（同期再生制御手段）
１００  磁気テープ（テープ状記録媒体）
２００  磁気ディスク（ディスク状記録媒体）
【図１】
0003991532.tif 000002
【図２】
0003991532.tif 000003
【図３】
0003991532.tif 000004
【図４】
0003991532.tif 000005
【図５】
0003991532.tif 000006
【図６】
0003991532.tif 000007
【図７】
0003991532.tif 000008
【図８】
0003991532.tif 000009
【図９】
0003991532.tif 000010
【図１０】
0003991532.tif 000011
【図１１】
0003991532.tif 000012
【図１２】
0003991532.tif 000013